(57)【特許請求の範囲】
【請求項１】
上下の寸法が異なる複数枚の板材の板面に蟻溝を設けた化粧板材の蟻溝に、片面に蟻を設けて両側面に溝を設けた複数の接続補強木を差し込み連結固定して成る化粧型枠板材、該化粧型枠板材の接続補強木側を内側にして、四角又は多角形の形状に型枠組して成る電柱状の化粧打ち込み型枠、該電柱状の化粧打ち込み型枠内に複数の配線用配管を内蔵して、上部先端に接続金物を固定し、埋設柱脚部分は配線穴を設けた防腐補強鋼板で締付固定して、柱脚地盤上に配線用開口部を設けて成る化粧打ち込み型枠ポール、該化粧打ち込み型枠ポールの埋設柱脚部分を地中に埋設して、化粧打ち込み型枠ポールの上部先端からコンクリートを打設して街路灯ポールとすることを特徴とする蟻溝を設けた板材で造るコンクリートポール。
【請求項２】
上下の寸法が異なる複数枚の板材の板面に蟻溝を設けた化粧板材の蟻溝に、片面に蟻を設けて両側面に溝を設けた複数の接続補強木を差し込み連結固定して成る化粧型枠板材、該化粧型枠板材の接続補強木側を内側にして、四角又は多角形の形状に型枠組して成る電柱状の化粧打ち込み型枠、該電柱状の化粧打ち込み型枠内に複数の配線用配管を内蔵して、上部先端に接続金物を固定し、埋設柱脚部分は配線穴を設けた防腐補強鋼板で締付固定して、柱脚地盤上に配線用開口部を設けて成る化粧打ち込み型枠ポール、該化粧打ち込み型枠ポールの埋設柱脚部分を地中に埋設して、化粧打ち込み型枠ポールの上部先端からコンクリートを打設して成る街路灯ポールを、間隔を開けて連続敷設して成る街路灯ポール間を、各々の配線開口部から電線を地中に埋設する配線として、地上の架空電線を無くすることを特徴とする請求項１に記載の蟻溝を設けた板材で造るコンクリートポール。
【請求項３】
上下の寸法が異なる複数枚の板材の板面に蟻溝を設けた化粧板材の蟻溝に、片面に蟻を設けて両側面に溝を設けた複数の接続補強木を差し込み連結固定して成る化粧型枠板材、該化粧型枠板材の接続補強木側を内側にして、四角又は多角形の形状に型枠組して成る電柱状の化粧打ち込み型枠、該電柱状の化粧打ち込み型枠内に複数の配線用配管を内蔵して、
上部先端に接続金物を固定し、埋設柱脚部分は配線穴を設けた防腐補強鋼板で締付固定して、柱脚地盤上に配線用開口部を設けて成る化粧打ち込み型枠ポール、該化粧打ち込み型枠ポールの埋設柱脚部分を地中に埋設して、化粧打ち込み型枠ポールの上部先端からコンクリートを打設して電柱ポールとして、前記、上部先端の接続金物に電線配線ポールを接続して、一般の電柱ポールとして活用ができることを特徴とする、請求項１又は2に記載の蟻溝を設けた板材で造るコンクリートポール。
【請求項４】
板材の板面に蟻溝を設けた化粧板材の蟻溝を内側にして、四角又は多角形の形状に型枠組して成る複数の断面の異なる柱状の化粧打ち込み型枠、該断面の異なる柱状の化粧打ち込み型枠を重ね接続して成る、重ね継ぎした化粧打ち込み型枠内に複数の配線用配管を内蔵して、上部先端に接続金物を固定し、埋設柱脚部分は配線穴を設けた防腐補強鋼板で締付固定して、柱脚地盤上に配線用開口部を設けて成る化粧打ち込み型枠ポール、該化粧打ち込み型枠ポールの埋設柱脚部分を地中に埋設して、化粧打ち込み型枠ポールの上部先端からコンクリートを打設して、コンクリートの凝固で重ね継ぎしたコンクリートの街路灯ポールとすることを特徴とする、請求項１〜3に記載の蟻溝を設けた板材で造るコンクリートポール。
【請求項５】
請求項１〜4に記載の化粧打ち込み型枠ポール内に工場でコンクリートを打設して、街路灯ポールとすることを特徴とする蟻溝を設けた板材で造るコンクリートポール。
【請求項６】
上下の寸法が異なる複数枚の板材の板面に蟻溝を設けた化粧板材の蟻溝に、片面に蟻を設けて両側面に溝を設けた複数の接続補強木を差し込み連結固定して成る化粧型枠板材、該化粧型枠板材の接合部外面に複数の丁番金物をビス固定して、四角又は多角形の形状に型枠組して成る電柱状の化粧打ち込み型枠とすることを特徴とする、請求項１〜5に記載の蟻溝を設けた板材で造るコンクリートポール。
【発明の詳細な説明】
【技術分野】
【０００１】
本発明は、蟻溝を設けた板材で造るコンクリートポールに関する。
【背景技術】
【０００２】
従来の電柱はPC電柱や鋼管電柱が支流で街路灯ポールは大半が鋼管柱を使用している。
【０００３】
PC電柱や鋼管電柱は工場で製造する完成品が支流である。
【０００４】
工場で製造する完成したPC電柱や鋼管電柱を現場へ運んで使用している。
【先行技術文献】
【特許文献】
【０００５】
【特許文献１】無し
【０００６】
【非特許文献１】無し
【発明の開示】
【発明が解決しようとする課題】
【０００７】
在来のPC電柱には次の問題があった。
〇PC電柱は重量が重い欠点と自重を支える強度も加わり大きい断面を必要とする欠点。
〇PC電柱の重い重量に加えて長いPC電柱を現場へ運搬して設置する経費が掛かる問題。
【０００８】
さらに、PC電柱は衝撃に弱い欠点と景観を阻害する欠点もある。
【０００９】
本発明は、上記の課題に鑑みて、自然環境に最も優しくて弾力性に優れた蟻溝を設けた板材で造るコンクリートポールを提供するものである。
【課題を解決するための手段】
【００１０】
この発明は、上記の課題を解決するためになされたもので、上下の寸法が異なる複数枚の板材の板面に蟻溝を設けた化粧板材の蟻溝に、片面に蟻を設けて両側面に溝を設けた複数の接続補強木を差し込み連結固定して成る化粧型枠板材、該化粧型枠板材の接続補強木側を内側にして、四角又は多角形の形状に型枠組して成る電柱状の化粧打ち込み型枠、該電柱状の化粧打ち込み型枠内に複数の配線用配管を内蔵して、上部先端に接続金物を固定し、埋設柱脚部分は配線穴を設けた防腐補強鋼板で締付固定して、柱脚地盤上に配線用開口部を設けて成る化粧打ち込み型枠ポール、該化粧打ち込み型枠ポールの埋設柱脚部分を地中に埋設して、化粧打ち込み型枠ポールの上部先端からコンクリートを打設して街路灯ポールとすることを特徴とする蟻溝を設けた板材で造るコンクリートポール（請求項1）を提供する。
【００１１】
上下の寸法が異なる複数枚の板材の板面に蟻溝を設けた化粧板材の蟻溝に、片面に蟻を設けて両側面に溝を設けた複数の接続補強木を差し込み連結固定して成る化粧型枠板材、該化粧型枠板材の接続補強木側を内側にして、四角又は多角形の形状に型枠組して成る電柱状の化粧打ち込み型枠、該電柱状の化粧打ち込み型枠内に複数の配線用配管を内蔵して、上部先端に接続金物を固定し、埋設柱脚部分は配線穴を設けた防腐補強鋼板で締付固定して、柱脚地盤上に配線用開口部を設けて成る化粧打ち込み型枠ポール、該化粧打ち込み型枠ポールの埋設柱脚部分を地中に埋設して、化粧打ち込み型枠ポールの上部先端からコンクリートを打設して成る街路灯ポールを、間隔を開けて連続敷設して成る街路灯ポール間を、各々の配線開口部から電線を地中に埋設する配線として、地上の架空電線を無くすることを特徴とする請求項１に記載の蟻溝を設けた板材で造るコンクリートポール（請求項2）を提供する。
【００１２】
上下の寸法が異なる複数枚の板材の板面に蟻溝を設けた化粧板材の蟻溝に、片面に蟻を設けて両側面に溝を設けた複数の接続補強木を差し込み連結固定して成る化粧型枠板材、該化粧型枠板材の接続補強木側を内側にして、四角又は多角形の形状に型枠組して成る電柱状の化粧打ち込み型枠、該電柱状の化粧打ち込み型枠内に複数の配線用配管を内蔵して、
上部先端に接続金物を固定し、埋設柱脚部分は配線穴を設けた防腐補強鋼板で締付固定して、柱脚地盤上に配線用開口部を設けて成る化粧打ち込み型枠ポール、該化粧打ち込み型枠ポールの埋設柱脚部分を地中に埋設して、化粧打ち込み型枠ポールの上部先端からコンクリートを打設して電柱ポールとして、前記、上部先端の接続金物に電線配線ポールを接続して、一般の電柱ポールとして活用ができることを特徴とする、請求項１又は2に記載の蟻溝を設けた板材で造るコンクリートポール（請求項3）を提供する。
【００１３】
板材の板面に蟻溝を設けた化粧板材の蟻溝を内側にして、四角又は多角形の形状に型枠組して成る複数の断面の異なる柱状の化粧打ち込み型枠、該断面の異なる柱状の化粧打ち込み型枠を重ね接続して成る、重ね継ぎした化粧打ち込み型枠内に複数の配線用配管を内蔵して、上部先端に接続金物を固定し、埋設柱脚部分は配線穴を設けた防腐補強鋼板で締付固定して、柱脚地盤上に配線用開口部を設けて成る化粧打ち込み型枠ポール、該化粧打ち込み型枠ポールの埋設柱脚部分を地中に埋設して、化粧打ち込み型枠ポールの上部先端からコンクリートを打設して、コンクリートの凝固で重ね継ぎしたコンクリートの街路灯ポールとすることを特徴とする、請求項１〜3に記載の蟻溝を設けた板材で造るコンクリートポール（請求項4）を提供する。
【００１４】
請求項１〜4に記載の化粧打ち込み型枠ポール内に工場でコンクリートを打設して、街路灯ポールとすることを特徴とする蟻溝を設けた板材で造るコンクリートポール（請求項5）を提供する。
【００１５】
上下の寸法が異なる複数枚の板材の板面に蟻溝を設けた化粧板材の蟻溝に、片面に蟻を設けて両側面に溝を設けた複数の接続補強木を差し込み連結固定して成る化粧型枠板材、該化粧型枠板材の接合部外面に複数の丁番金物をビス固定して、四角又は多角形の形状に型枠組して成る電柱状の化粧打ち込み型枠とすることを特徴とする、請求項１〜5に記載の蟻溝を設けた板材で造るコンクリートポール（請求項6）を提供する。
【発明の効果】
【００１６】
本発明の特筆すべき大きな効果を列挙する。
イ）地球環境に最も優しい街路灯ポール。
ロ）地球温暖化に最も適した街路灯ポール。
ハ）鉄筋を必要としない街路灯ポール。
二）建設コストを大幅に削減できる街路灯ポール。
ホ）市街地の景観を損なわない街路灯ポール。
【００１７】
本発明で容易且つ低価格で造れる街灯ポールを列挙する。
イ）敷地内への引き込みポールや照明ポール。
ロ）狭い道路や庭園などの街路灯ポール。
ハ）一般道路や公園などの街路灯ポール。
二）運動場や作業場などの照明灯ポール。
ホ）高速道路や山林などの照明灯ポール。
へ）その他ネットフェンスの支柱ポール。
【００１８】
以上で説明したように、請求項１に係る発明によれば、上下の寸法が異なる複数枚の板材の板面に蟻溝を設けた化粧板材の蟻溝に、片面に蟻を設けて両側面に溝を設けた複数の接続補強木を差し込み連結固定して成る化粧型枠板材、該化粧型枠板材の接続補強木側を内側にして、四角又は多角形の形状に型枠組して成る電柱状の化粧打ち込み型枠、該電柱状の化粧打ち込み型枠内に複数の配線用配管を内蔵して、上部先端に接続金物を固定し、埋設柱脚部分は配線穴を設けた防腐補強鋼板で締付固定して、柱脚地盤上に配線用開口部を設けて成る化粧打ち込み型枠ポール、該化粧打ち込み型枠ポールの埋設柱脚部分を地中に埋設して、化粧打ち込み型枠ポールの上部先端からコンクリートを打設して街路灯ポールとすることで、市街地の景観が美しくなる効果は全ての国民が希望する効果である。
【００１９】
請求項２に係る発明によれば、上下の寸法が異なる複数枚の板材の板面に蟻溝を設けた化粧板材の蟻溝に、片面に蟻を設けて両側面に溝を設けた複数の接続補強木を差し込み連結固定して成る化粧型枠板材、該化粧型枠板材の接続補強木側を内側にして、四角又は多角形の形状に型枠組して成る電柱状の化粧打ち込み型枠、該電柱状の化粧打ち込み型枠内に複数の配線用配管を内蔵して、上部先端に接続金物を固定し、埋設柱脚部分は配線穴を設けた防腐補強鋼板で締付固定して、柱脚地盤上に配線用開口部を設けて成る化粧打ち込み型枠ポール、該化粧打ち込み型枠ポールの埋設柱脚部分を地中に埋設して、化粧打ち込み型枠ポールの上部先端からコンクリートを打設して成る街路灯ポールを、間隔を開けて連続敷設して成る街路灯ポール間を、各々の配線開口部から電線を地中に埋設する配線として、地上の架空電線を無くすることで、市街地の景観が美しくなる効果は全ての国民が希望する効果である。
【００２０】
請求項３に係る発明によれば、上下の寸法が異なる複数枚の板材の板面に蟻溝を設けた化粧板材の蟻溝に、片面に蟻を設けて両側面に溝を設けた複数の接続補強木を差し込み連結固定して成る化粧型枠板材、該化粧型枠板材の接続補強木側を内側にして、四角又は多角形の形状に型枠組して成る電柱状の化粧打ち込み型枠、該電柱状の化粧打ち込み型枠内に複数の配線用配管を内蔵して、
上部先端に接続金物を固定し、埋設柱脚部分は配線穴を設けた防腐補強鋼板で締付固定して、柱脚地盤上に配線用開口部を設けて成る化粧打ち込み型枠ポール、該化粧打ち込み型枠ポールの埋設柱脚部分を地中に埋設して、化粧打ち込み型枠ポールの上部先端からコンクリートを打設して電柱ポールとして、前記、上部先端の接続金物に電線配線ポールを接続して、一般の電柱ポールとして活用ができることで、一般の電柱ポールとして利用できる効果は大きい。
【００２１】
請求項4に係る発明によれば、板材の板面に蟻溝を設けた化粧板材の蟻溝を内側にして、四角又は多角形の形状に型枠組して成る複数の断面の異なる柱状の化粧打ち込み型枠、該断面の異なる柱状の化粧打ち込み型枠を重ね接続して成る、重ね継ぎした化粧打ち込み型枠内に複数の配線用配管を内蔵して、上部先端に接続金物を固定し、埋設柱脚部分は配線穴を設けた防腐補強鋼板で締付固定して、柱脚地盤上に配線用開口部を設けて成る化粧打ち込み型枠ポール、該化粧打ち込み型枠ポールの埋設柱脚部分を地中に埋設して、化粧打ち込み型枠ポールの上部先端からコンクリートを打設して、コンクリートの凝固で重ね継ぎしたコンクリートの街路灯ポールとすることで、多種多様な道路の街路灯ポールや電柱ポールが容易且つ低価格で造れる効果は大きい。
【００２２】
請求項5に係る発明によれば、請求項１〜4に記載の化粧打ち込み型枠ポール内に工場でコンクリートを打設して、街路灯ポールとすることで、多種多様な道路の狭い街路灯ポールや公園などの街路灯が容易且つ低価格で造れる効果は大きい。
【００２３】
請求項6に係る発明によれば、上下の寸法が異なる複数枚の板材の板面に蟻溝を設けた化粧板材の蟻溝に、片面に蟻を設けて両側面に溝を設けた複数の接続補強木を差し込み連結固定して成る化粧型枠板材、該化粧型枠板材の接合部外面に複数の丁番金物をビス固定して、四角又は多角形の形状に型枠組して成る電柱状の化粧打ち込み型枠とすることで、コンクリートの打設厚に耐える、強固な化粧打ち込み型枠となるとともに大量搬送が可能になる効果が得られる。
【発明を実施するための最良の形態】
【００２４】
以下に、本発明の実施形態は添付図面を参照しつつ詳細に説明する。
【００２５】
図１は、本発明に係る一般の街路灯ポールの姿図。図２は、高速道路の街路灯ポールの姿図。図３は、狭い道路の街路灯ポールの姿図。図4は、細い道や公園などの街路灯ポールの姿図。図5は、敷地内の照明ポール。図6は、庭園などの照明ポール。図7は、図1のA部の詳細図。図8は、図1のB部の詳細図。図9は、図1のC部の拡大断面詳細図。図10は、図1の先端部の拡大断面詳細図。図11は、図1の脚部の拡大断面詳細図。図12は、図5・6の断面拡大詳細図である。
【００２６】
本発明の実施形態を図面で説明すれば、図１は、上下の寸法が異なる複数枚の板材1の板面に蟻溝2を設けた化粧板材3の蟻溝2に、片面に蟻4を設けて両側面に溝5を設けた複数の接続補強木6を差し込み連結固定して成る化粧型枠板材7、該化粧型枠板材7の接続補強木6側を内側にして、四角又は多角形の形状に型枠組して成る電柱状の化粧打ち込み型枠8、該電柱状の化粧打ち込み型枠8内に複数の配線用配管9を内蔵して、上部先端に接続金物10を固定し、埋設柱脚部分は配線穴11を設けた防腐補強鋼板12で締付固定して、柱脚地盤上に配線用開口部13を設けて成る化粧打ち込み型枠ポール14、該化粧打ち込み型枠ポール14の埋設柱脚部分を地中に埋設して、化粧打ち込み型枠ポール14の上部先端からコンクリート15を打設して成る本発明に係る一般の街路灯ポールAの姿図である。
【００２７】
図２は、上下の寸法が異なる複数枚の板材1の板面に蟻溝2を設けた化粧板材3の蟻溝2に、片面に蟻4を設けて両側面に溝5を設けた複数の接続補強木6を差し込み連結固定して成る化粧型枠板材7、該化粧型枠板材7の接続補強木6側を内側にして、四角又は多角形の形状に型枠組して成る電柱状の化粧打ち込み型枠8、該電柱状の化粧打ち込み型枠8内に複数の配線用配管9を内蔵して、上部先端に接続金物10を固定し、埋設柱脚部分は配線穴11を設けた防腐補強鋼板12で締付固定して、柱脚地盤上に配線用開口部13を設けて成る化粧打ち込み型枠ポール14、該化粧打ち込み型枠ポール14の埋設柱脚部分を地中に埋設して、化粧打ち込み型枠ポール14の上部先端からコンクリート15を打設して成る高速道路の街路灯ポールBの姿図。
【００２８】
図３は、図1に準ずる狭い道路の街路灯ポールCの姿図。
【００２９】
図４は、図1に準ずる細い道の街路灯ポールDの姿図。
【００３０】
図5は、板材1の板面に蟻溝2を設けた4枚の化粧板材3の蟻溝2を内側にして、四角形状に型枠組して成る電柱状の化粧打ち込み型枠8、該電柱状の化粧打ち込み型枠8内に複数の配線用配管9を内蔵して、上部先端に接続金物10を固定し、埋設柱脚部分は配線穴11を設けた防腐補強鋼板12で締付固定して、柱脚地盤上に配線用開口部13を設けて成る化粧打ち込み型枠ポール14、該化粧打ち込み型枠ポール14の埋設柱脚部分を地中に埋設して、化粧打ち込み型枠ポール14の上部先端からコンクリート15を打設して成る敷地内の照明ポールEの姿図。
【００３１】
図6は、図5に準ずる庭園などの照明ポールFの姿図。
【００３２】
図7は、図1のA部の詳細図。
【００３３】
図8は、図1のB部の詳細図。
【００３４】
図9は、図1のC部の拡大断面詳細図。
【００３５】
図10は、図1の先端部の拡大断面詳細図。
【００３６】
図11は、図1の脚部の拡大断面詳細図。
【００３７】
図12は、図5・6の断面拡大詳細図である。
【００３８】
以上、図面について説明したが、本発明は、従来のコンクリートポールや鋼管ポールの欠点が改善できるとともに高度な技能を必要とすることなく、多種多様なコンクリートポールが、巨大なコンクリートポール工場を必要としないで容易に且つ安価に構築できることを目的としたものである。
【００３９】
また、本発明で使用する板材やセパ材は我が国の木材を使用することから、全国市町村の疲弊する山村林業の活性化に貢献ができる。
【実施例１】
【００４０】
「コンクリートの現場打ち一般の街路灯ポールAの実施例」
図１を参照に、複数枚の板材1で成る10ｍの長さで上巾100ｍｍ×下巾140ｍｍとなる、30ｍｍ厚の板材1の板面中央に30ｍｍ巾の蟻溝2を設けた化粧板材3の蟻溝2に、30ｍｍ×55ｍｍ×3ｍの片面に蟻4を設けて両側面に12ｍｍ巾の溝5を設けた接続補強木6を差し込み連結固定して成る化粧型枠板材7を6枚用いて交互に並置し接続補強木6側を内側にして、6角形の形状に型枠組して成る電柱状の化粧打ち込み型枠8、該電柱状の化粧打ち込み型枠8内に複数の配線用配管9を内蔵して、上部先端に接続金物10を固定し、埋設柱脚部分は配線穴11を設けた防腐補強鋼板12で締付固定して、柱脚地盤上に配線用開口部13を設けて成る化粧打ち込み型枠ポール14、該化粧打ち込み型枠ポール14の埋設柱脚部分を地中に埋設して、化粧打ち込み型枠ポール14の上部先端からコンクリート15を打設して成る一般の街路灯ポールAとする。高速道路の街路灯ポールや狭い道路の街路灯ポールなども同様とする。
【実施例２】
【００４１】
「工場で造る一般の街路灯ポールの実施例」
図１を参照に、街路灯ポール製作工場で、複数枚の板材1で成る10ｍの長さで上巾100ｍｍ×下巾140ｍｍとなる、30ｍｍ厚の板材1の板面中央に30ｍｍ巾の蟻溝2を設けた化粧板材3の蟻溝2に、30ｍｍ×55ｍｍ×3ｍの片面に蟻4を設けて両側面に12ｍｍ巾の溝5を設けた接続補強木6を差し込み連結固定して成る化粧型枠板材7を6枚用いて交互に並置し接続補強木6側を内側にして、6角形の形状に型枠組して成る電柱状の化粧打ち込み型枠8、該電柱状の化粧打ち込み型枠8内に複数の配線用配管9を内蔵して、上部先端に接続金物10を固定し、埋設柱脚部分は配線穴11を設けた防腐補強鋼板12で締付固定して、柱脚地盤上に配線用開口部13を設けて成る化粧打ち込み型枠ポール14内に、コンクリートを投入して凝固完成した一般の街路灯ポールAを現地に運び、現地で一般の街路灯ポールAとして埋設活用する。高速道路の街路灯ポールや狭い道路の街路灯ポールなども同様とする。
【実施例３】
【００４２】
「実施例1・2で造る一般の街路灯ポールで架空電線を無くする実施例」
実施例1・2で造る一般の街路灯ポールを既設電柱ポール的に埋設して、各々の一般の街路灯ポールAに設けた配線用開口部13を用いて、電線16を地中配船することで一般の街路灯ポールで架空電線を無くする。
【実施例４】
【００４３】
「工場で造る照明ポールの実施例」
図5を参照に、120ｍｍ×30ｍｍ×3000ｍｍの板材1の板面に30ｍｍ巾の蟻溝2を設けた4枚の化粧板材3の蟻溝2側を内側にして、4角形の形状に型枠組して成る電柱状の化粧打ち込み型枠8、該電柱状の化粧打ち込み型枠8内に複数の配線用配管9を内蔵して、上部先端に接続金物10を固定し、埋設柱脚部分は配線穴11を設けた防腐補強鋼板12で締付固定して、柱脚地盤上に配線用開口部13を設けて成る化粧打ち込み型枠ポール14、該化粧打ち込み型枠ポール14の埋設柱脚部分を地中に埋設して、化粧打ち込み型枠ポール14の上部先端からコンクリート15を打設して成る照明ポールＥとする。照明ポールＦも同様とする。
【実施例５】
【００４４】
「丁番金物で化粧打ち込み型枠を結合して造る一般の街路灯ポールの実施例」
複数枚の板材1で成る10ｍの長さで上巾100ｍｍ×下巾140ｍｍとなる、30ｍｍ厚の板材1の板面中央に30ｍｍ巾の蟻溝2を設けた化粧板材3の蟻溝2に、30ｍｍ×55ｍｍ×3ｍの片面に蟻4を設けて両側面に12ｍｍ巾の溝5を設けた接続補強木6を差し込み連結固定して成る化粧型枠板材7の接合部外面に複数の丁番金物17をビス18で固定して、六角形の形状に型枠組して成る電柱状の化粧打ち込み型枠8、該電柱状の化粧打ち込み型枠8内に複数の配線用配管9を内蔵して、上部先端に接続金物10を固定し、埋設柱脚部分は配線穴11を設けた防腐補強鋼板12で締付固定して、柱脚地盤上に配線用開口部13を設けて成る化粧打ち込み型枠ポール14にコンクリート15を打設して成る一般の街路灯ポールAとする。高速道路の街路灯ポールや狭い道路の街路灯ポールなども同様とする。
【００４５】
なお、この発明において、実施例に示した寸法は、一例を示したものであり、他の寸法に置き換えることは可能である。また、実施例5に示した丁番金物はコンクリートの打設厚に耐える支持材で、固定できれば丁番金物は不要となる。さらに、木材に代わる材料など強度が得られるものであれば発明を支障なく実施することができる。
【産業上の利用可能性】
【００４６】
現在、我が国の電力供給は、コンクリートの電柱ポールの架空配線で供給されて、自然災害毎に電力供給ができなくなることが多発している。他方、コンクリートの電柱ポールの架空配線は、市街地の景観を阻害するとともに、コンクリートの電柱ポールは強度が弱く電力供給に支障をきたしているのが現状である。
さらに、伐採適齢期を迎えている戦後に植栽された杉や檜の植樹林は、外国産木材によって間伐放棄・森林放棄されて、国産木材の価値は下がり利用されていないのが現状である。しかしながら、国土の63％を占めている森林の木材は植栽と植樹を繰り返すことで、尽きることのない我が国の大切な宝の資源であり、国産木材を消費拡大することは行政の重要課題であるとともに、地方創成の要であることは周知の通りである。
本発明の蟻溝を設けた板材で造るコンクリートポールは国産木材を主材としたもので、蟻溝を設けた板材で造るコンクリートポールが普及することによって、疲弊する山村林業の活性化に貢献できるとともに脱炭素化時代に貢献ができる。。
【図面の簡単な説明】
【００４７】
【図１】本発明に係る一般の街路灯ポールの姿図。
【図２】高速道路の街路灯ポールの姿図。
【図３】狭い道路の街路灯ポールの姿図。
【図４】細い道や公園などの街路灯ポールの姿図。
【図５】敷地内の照明ポール。
【図６】庭園などの照明ポール。
【図７】図1のA部の詳細図。
【図８】図1のB部の詳細図。
【図９】図1のC部の拡大断面詳細図。
【図１０】図1の先端部の拡大断面詳細図。
【図１１】図1の脚部の拡大断面詳細図。
【図１２】図5・6の断面拡大詳細図である。
【符号の説明】
【００４８】
1.   上下の寸法が異なる板材
2.   蟻溝
3.   化粧板材
4.   蟻
5.   溝
6.   接続補強木
7.   化粧型枠板材
8.   電柱状の化粧打ち込み型枠
9.   配線用配管
10.  接続金物
11.  配線穴
12.  防腐補強鋼板
13.  配線用開口部
14.  化粧打ち込み型枠ポール
15.  コンクリート
16.  電線
17.  丁番金物
18.  ビス
A、一般の街路灯ポール
B、高速道路の街路灯ポール
C、狭い道路の街路灯ポール
D、細い道の街路灯ポール
E、敷地内の照明ポール
F、庭園などの照明ポール
【要約】
【課題】本発明は、強度が弱いコンクリートの電柱ポールに代わる蟻溝を設けた板材で造るコンクリートポールを提供する。
【解決手段】
上下の寸法が異なる板材1の板面に、蟻溝2を設けた複数の化粧板材3の蟻溝2に、片面に蟻4を設けて両側面に溝5を設けた接続補強木6を差し込み連結固定した、化粧型枠板材7の接続補強木6側を内側にして、多角形の形状に型枠組して成る電柱状の化粧打ち込み型枠8内に複数の配線用配管9を内蔵して、上部先端に接続金物10を固定し、埋設柱脚部分は配線穴11を設けた防腐補強鋼板12で締付固定して、柱脚地盤上に配線用開口部13を設けて成る化粧打ち込み型枠ポール14、該化粧打ち込み型枠ポール14の埋設柱脚部分を地中に埋設して、化粧打ち込み型枠ポール14の上部先端からコンクリート15を打設して街路灯ポールAを形成する蟻溝を設けた板材で造るコンクリートポール。
【選択図】  図1【図１】
0006882750.tif 000002
【図２】
0006882750.tif 000003
【図３】
0006882750.tif 000004
【図４】
0006882750.tif 000005
【図５】
0006882750.tif 000006
【図６】
0006882750.tif 000007
【図７】
0006882750.tif 000008
【図８】
0006882750.tif 000009
【図９】
0006882750.tif 000010
【図１０】
0006882750.tif 000011
【図１１】
0006882750.tif 000012
【図１２】
0006882750.tif 000013